(57)【特許請求の範囲】
【請求項１】
面方向へスライドして開閉動作する開閉体と、前記開閉体をその開放方向側で収納したり繰り出したりする収納ケースとを備えた開閉装置において、
前記収納ケースは、開閉体幅方向の両側に位置する二つの側板と、前記両側板間における開閉体開放方向側の端部間を閉鎖する第１のカバー板と、前記両側板間における開閉体閉鎖方向側の端部間を閉鎖する第２のカバー板と、前記両側板間における開閉体厚さ方向の一端部間を閉鎖する第３のカバー板と、前記両側板間における開閉体厚さ方向の他端部間を閉鎖する第４のカバー板と、を具備し、
これら第１乃至４のカバー板のうち、少なくとも何れか一つには、開閉体幅方向へ連続する補強部材が一体的に固定され、
第１のカバー板における開閉体幅方向の中央寄りに、頭部と首下部を有する止着具を止着し、第３のカバー板における開閉体開放方向寄りには、前記止着具に掛止するための掛止部を設け、
前記掛止部は、前記止着具の頭部を挿通可能な脱着孔と、前記頭部及び前記脱着孔よりも小径な締付孔とを開閉体開閉方向に連結するとともに、前記脱着孔を前記締付孔よりも開閉体開放方向側に配置してなり、
前記止着具は、前記首下部を前記締付孔に挿通した状態で締め付けられていることを特徴とする開閉装置。
【請求項２】
第２のカバー板は、開閉体厚さ方向の一端側である前端側とその反対側である後端側にそれぞれ補強部材を備え、前記後端側の補強部材よりもさらに後端側に開閉体幅方向へわたる曲げ部を有し、
前記曲げ部は、第２のカバー板を構成する平板状の底板部の後端側を断面略コ字状に曲げた形状であり、その上端に、前記底板部に対し略平行し且つ前記後側の補強部材へ向く覆い部を有し、前記曲げ部の後方には、前記開閉体を上下に挿通する開口部が設けられ、
前記後端側の補強部材は、第２のカバー板の後端側において、前記底板部の内面に重ね合わせられて止着される止着片部と、該止着片部から上方へ突出するとともにその突端部を後方へ曲げた断面形状の覆い部とから構成され、この覆い部を第２のカバー板の前記覆い部に対し前方へ間隔を置いて対向させていることを特徴とする請求項１記載の開閉装置。
【請求項３】
前記底板部における前記後端側の補強部材の近傍かつ前側には、貫通孔と、該貫通孔を介して開閉体近傍又は開閉体下方側の物体を感知するセンサが設けられていることを特徴とする請求項２記載の開閉装置。
【請求項４】
前記底板部における前記後端側の補強部材の近傍かつ前側には、制御回路部が設けられていることを特徴とする請求項２又は３記載の開閉装置。
【請求項５】
前記補強部材によって、電気配線を挿通するための電線挿通空間を形成したことを特徴とする請求項１乃至４何れか１項記載の開閉装置。
【請求項６】
面方向へスライドして開閉動作する開閉体と、前記開閉体をその開放方向側で収納したり繰り出したりする収納ケースとを備えた開閉装置において、
前記収納ケースは、開閉体幅方向の両側に位置する二つの側板と、前記両側板間における開閉体開放方向側の端部間を閉鎖する第１のカバー板と、前記両側板間における開閉体閉鎖方向側の端部間を閉鎖する第２のカバー板と、前記両側板間における開閉体厚さ方向の一端部間を閉鎖する第３のカバー板と、前記両側板間における開閉体厚さ方向の他端部間を閉鎖する第４のカバー板と、を具備し、
これら第１乃至４のカバー板のうち、少なくとも何れか一つには、開閉体幅方向へ連続する補強部材が一体的に固定されている開閉装置について、
第３のカバー板を装着する際には、第３のカバー板の上端側を第１のカバー板に掛けた状態で、第３のカバー板を開閉体開放方向へ移動することで、第１のカバー板の弛みを矯正し、この矯正状態のまま、第３のカバー板を、先に組み立てた前記側板又は第２のカバー板に固定するようにしたことを特徴とする開閉装置の製造方法。
【請求項７】
第１のカバー板における開閉体幅方向の中央寄りに、頭部と首下部を有する止着具を予め止着し、第３のカバー板における開閉体開放方向寄りには、前記止着具に掛止するための掛止部を設け、
前記掛止部は、前記止着具の頭部を挿通可能な脱着孔と、該脱着孔よりも小径であって前記止着具の首下部を挿通可能な締付孔とを開閉体開閉方向に連結するとともに、前記脱着孔を前記締付孔よりも開閉体開放方向側に配置してなり、
第３のカバー板を装着する際には、第３のカバー板における前記脱着孔を、第１のカバー板に止着された前記止着具の首下部に掛けた状態で、第３のカバー板を開閉体開放方向へ移動し、前記締付孔を前記止着具の首下部に嵌め合せるとともに、この際に移動する第３のカバー板によって第１のカバー板の弛みを矯正し、この矯正状態のまま、前記止着具を締め付けるとともに、第３のカバー板を、先に組み立てた前記側板又は第２のカバー板に固定するようにしたことを特徴とする請求項６記載の開閉装置の製造方法。
【請求項８】
第３のカバー板の開閉体開放方向寄りに、前記収納ケース内へ向かって突出する当接片部を設け、
第３のカバー板を装着する際には、開閉体開放方向へ移動する第３のカバー板の前記当接片部を、第１のカバー板に当接させることで、第１のカバー板の弛みを矯正するようにしたことを特徴とする請求項６又は７記載の開閉装置の製造方法。
【発明の詳細な説明】
【技術分野】
【０００１】
本発明は、シャッター装置（スラットシャッター、シートシャッター、パネルシャッター及び２軸式シャッターを含む）や、オーバーヘッドドア、ロールスクリーン、オーニング等、住宅やビル、倉庫、工場、地下街、トンネル、車両の荷台等の構造物の開口部分や内部に配設され、前記開口部分や内部空間を仕切ったり開放したりする開閉装置及び該開閉装置の製造方法に関するものである。
【背景技術】
【０００２】
従来、この種の開閉装置には、上下方向へスライドして開閉動作する開閉体と、前記開閉体をその開放方向側で巻いたり繰り出したりする巻軸と、前記巻軸を回転可能に支持し収納する収納ケースとを備えたものがある。
このような構成の開閉装置として、例えば特許文献１に記載される発明では、左右の側板（ブラケット１４，１４）の間に、複数の支持鋼（２０ａ〜２０ｄ）等を固定して、略籠状の骨組みを構成し、この骨組みの上下面及び手前面をカバー本体により覆うことで、略直方体状の収納ケースを構成している。
【０００３】
しかしながら、上記従来技術では、開閉体を巻く巻軸や、その回転駆動源である開閉機、制御回路等、収納ケース内の機器に対するメンテナンスを行う場合に、前記カバー本体を外すことになるが、前記支持鋼等の骨組み部材は両側板間に頑強に固定されており外せず、メンテナンス作業の邪魔になる場合がある。また、製造時に、前記支持鋼等による骨組み部材を組み立てるのに比較的多くの時間を要する場合もある。
そこで、前記支持鋼を省き、両側板とカバー本体のみによって収納ケースを構成することが提案されるが、強度的な問題を解消しなければならず、工夫を要する。
【先行技術文献】
【特許文献】
【０００４】
【特許文献１】特開２０１０−１１６７５０号公報（図１（ｂ）参照）
【発明の概要】
【発明が解決しようとする課題】
【０００５】
本発明は、このような問題に対処することを課題の一例とするものである。すなわち、収納ケース内に対するメンテナンス性を向上すること、収納ケースの強度を十分に保持すること、製造性を向上すること等、が本発明の目的である。
【課題を解決するための手段】
【０００６】
上記課題を解決するための一手段は、面方向へスライドして開閉動作する開閉体と、前記開閉体をその開放方向側で収納したり繰り出したりする収納ケースとを備えた開閉装置において、前記収納ケースは、開閉体幅方向の両側に位置する二つの側板と、前記両側板間における開閉体開放方向側の端部間を閉鎖する第１のカバー板と、前記両側板間における開閉体閉鎖方向側の端部間を閉鎖する第２のカバー板と、前記両側板間における開閉体厚さ方向の一端部間を閉鎖する第３のカバー板と、前記両側板間における開閉体厚さ方向の他端部間を閉鎖する第４のカバー板と、を具備し、これら第１乃至４のカバー板のうち、少なくとも何れか一つには、開閉体幅方向へ連続する補強部材が一体的に固定され、第１のカバー板における開閉体幅方向の中央寄りに、頭部と首下部を有する止着具を止着し、第３のカバー板における開閉体開放方向寄りには、前記止着具に掛止するための掛止部を設け、前記掛止部は、前記止着具の頭部を挿通可能な脱着孔と、前記頭部及び前記脱着孔よりも小径な締付孔とを開閉体開閉方向に連結するとともに、前記脱着孔を前記締付孔よりも開閉体開放方向側に配置してなり、前記止着具は、前記首下部を前記締付孔に挿通した状態で締め付けられていることを特徴とする。
【発明の効果】
【０００７】
本発明は、以上説明したように構成されているので、以下に記載されるような作用効果を奏する。
収納ケースの強度を、該収納ケースと一体の補強部材によって十分に保持することができる上、メンテナンスの際には、カバー板と一緒に補強部材を外すことができるため、補強部材がメンテナンスの邪魔になるようなことを防ぐことができる。また、予め支持鋼を骨組みしなければならない従来技術と比較して、製造性が良好である。
【図面の簡単な説明】
【０００８】
【図１】本発明に係る開閉装置の一例を示す縦断面図である。
【図２】（ａ）は第１のカバー板の一例を示す平面図、（ｂ）は（ａ）に対する右側面図である。
【図３】（ａ）は第２のカバー板の一例を示す平面図、（ｂ）は（ａ）に対する右側面図である。
【図４】本発明に係る開閉装置の一例を示す正面図である。
【図５】図４におけるＶ部拡大図である。
【図６】収納ケースの要部縦断面図であり、（ａ）は第３のカバー板の装着途中状態を示し、（ｂ）は第３のカバー板の装着完了状態を示す。
【発明を実施するための形態】
【０００９】
本発明を実施するために、第一の形態では、面方向へスライドして開閉動作する開閉体と、前記開閉体をその開放方向側で収納したり繰り出したりする収納ケースとを備えた開閉装置において、前記収納ケースは、開閉体幅方向の両側に位置する二つの側板と、前記両側板間における開閉体開放方向側の端部間を閉鎖する第１のカバー板と、前記両側板間における開閉体閉鎖方向側の端部間を閉鎖する第２のカバー板と、前記両側板間における開閉体厚さ方向の一端部間を閉鎖する第３のカバー板と、前記両側板間における開閉体厚さ方向の他端部間を閉鎖する第４のカバー板と、を具備し、これら第１乃至４のカバー板のうち、少なくとも何れか一つには、開閉体幅方向へ連続する補強部材が一体的に固定されている（図１参照）。
【００１０】
特に収納ケースの幅方向の中央部が弛むようなことを効果的に防ぐ好ましい具体例として、第二の形態では、前記補強部材を、第１のカバー板と第２のカバー板のそれぞれに対し、開閉体厚さ方向の一端側と他端側を含む複数個所に固定した（図１〜３参照）。
【００１１】
また、メンテナンスの際に、作業者等が収納ケース内の電線に触れてしまったり、巻軸等の駆動部分が電線等に干渉してしまうのを防ぐ好ましい具体例として、第三の形態では、前記補強部材によって、電気配線を挿通するための電線挿通空間を形成した（図１及び３参照）。
【００１２】
さらに、補強部材によって電線挿通空間を形成した好ましい具体例として、第四の形態では、第２のカバー板に固定される補強部材は、第２のカバー板の内面側から突出して電気配線を断面略コ字状に囲むように形成されている（図１及び３参照）。
【００１３】
また、特に第１のカバー部材の弛みを容易に矯正することができる好ましい具体例として、第五の形態では、第１のカバー板における開閉体幅方向の中央寄りに、頭部と首下部を有する止着具を止着し、第３のカバー板における開閉体開放方向寄りには、前記止着具に掛止するための掛止部を設け、前記掛止部は、前記止着具の頭部を挿通可能な脱着孔と、前記頭部及び前記脱着孔よりも小径な締付孔とを開閉体開閉方向に連結するとともに、前記脱着孔を前記締付孔よりも開閉体開放方向側に配置してなり、前記止着具は、前記首下部を前記締付孔に挿通した状態で締め付けられている（図４〜６参照）。
【００１４】
また、特に第１のカバー部材の弛みを容易に矯正することができる好ましい製造方法として、第六の形態では、第３のカバー板を装着する際には、第３のカバー板の上端側を第１のカバー板に掛けた状態で、第３のカバー板を開閉体開放方向へ移動することで、第１のカバー板の弛みを矯正し、この矯正状態のまま、第３のカバー板を、先に組み立てた前記側板又は第２のカバー板に固定するようにした（図４〜６参照）。
【００１５】
さらに、前記掛止部及び前記被掛止部を具体化した好ましい製造方法として、第七の形態では、前記被掛止部は、頭部と首下部を有し、該首下部を第１のカバー板における第３のカバー板側の端部に止着した止着具であり、前記掛止部は、前記止着具の頭部を挿通可能な脱着孔と、該脱着孔よりも小径であって前記止着具の首下部を挿通可能な締付孔とを開閉体開閉方向に連結するとともに、前記脱着孔を前記締付孔よりも開閉体開放方向側に配置してなり、第３のカバー板の前記脱着孔を第１のカバー板の前記止着具の首下部に掛けた後、第３のカバー板を開閉体開放方向へ移動することで、前記締付孔の内縁で前記止着具の首下部を押圧して第１のカバー板の弛みを矯正し、この後、第３のカバー板を前記両側板に止着する（図４〜６参照）。
【００１６】
さらに、第１のカバー板の弛みを効果的に矯正する製造方法として、第八の形態では、第３のカバー板の開閉体開放方向寄りに、前記収納ケース内へ向かって突出する当接片部を設け、第３のカバー板を装着する際には、開閉体開放方向へ移動する第３のカバー板の前記当接片部を、第１のカバー板に当接させることで、第１のカバー板の弛みを矯正する。
【００１７】
なお、上記形態の構成要件を具備しない独立した発明として、以下のように構成することも可能である。
すなわち、この独立した発明は、面方向へスライドして開閉動作する開閉体と、前記開閉体をその開放方向側で収納したり繰り出したりする収納ケースとを備えた開閉装置において、前記収納ケースにおける開閉体閉鎖方向側の内面には、開閉体幅方向へ連続する補強部材が一体的に固定され、この補強部材は、電気配線を挿通するための電線挿通空間を形成していることを特徴とする。この発明の更に好ましい形態としては、補強部材は、第２のカバー板に固定される補強部材は、第２のカバー板の内面側から突出して電気配線を断面略コ字状に囲むように形成されていることを特徴とする。
これら独立した発明によれば、メンテナンスの際に、作業者等が収納ケース内の電線に触れてしまったり、巻軸等の駆動部分が電線等に干渉してしまうのを防ぐことができる。
【００１８】
また、上記形態の構成要件を具備しない他の独立した発明としては、面方向へスライドして開閉動作する開閉体と、前記開閉体をその開放方向側で収納したり繰り出したりする収納ケースとを備えた開閉装置の製造方法において、
前記収納ケースは、開閉体幅方向の両側に位置する二つの側板と、前記両側板間における開閉体開放方向側の端部間を閉鎖する第１のカバー板と、前記両側板間における開閉体厚さ方向の一端部間を閉鎖する第３のカバー板と、を具備し、
第３のカバー板を装着する際には、第３のカバー板の上端側を第１のカバー板に掛けた状態で、第３のカバー板を開閉体開放方向へ移動することで、第１のカバー板の弛みを矯正し、この矯正状態のまま、第３のカバー板を、先に組み立てた前記側板又は第２のカバー板に固定するようにした。
この独立した発明によれば、製造中や、メンテナンス後の組立作業中に、第１のカバー部材の弛みを容易に矯正することができる。
【００１９】
なお、本明細書中において「開閉体厚さ方向」とは、閉鎖状態における上記開閉体の厚みの方向を意味する。
また、本明細書中において「開閉体幅方向」とは、上記開閉体の開閉方向と略直交する方向であって、上記開閉体の厚さ方向ではない方向を意味する。
また、本明細書中において「開閉体開閉方向」とは、上記開閉体が空間を仕切ったり開放したりするためにスライドする方向を意味する。
また、本明細書中において開閉体の「面方向」とは、閉鎖状態で開閉体の表面又は裏面が連続する方向を意味し、この方向には、前記開閉体開閉方向及び前記開閉体幅方向を含む。
【００２０】
以下、上記形態の特に好ましい実施例を、図面に基づいて詳細に説明する。
【実施例】
【００２１】
図１〜２は、本発明に係る開閉装置の一実施例を示している。
この開閉装置１は、面方向（図示例によれば上下方向）へスライドして開閉動作する開閉体１０と、開閉体１０の幅方向の端部を囲んで開閉方向へ案内するガイドレール２０と、開閉体１０をその開放方向側（図示例によれば上方側）で収納したり繰り出したりする収納部３０とを備える。
【００２２】
開閉体１０は、略矩形シート状の開閉体本体１１と、該開閉体本体の閉鎖方向端部に接続された座板部１２とからなり、開閉体本体１１の開放方向側の端部を、後述する第２の軸体３３の外周部に止着している。
【００２３】
開閉体本体１１は、例えば、ガラスクロスやシリカクロス等の難燃性布地や、フッ素加工を施した塩化ビニル樹脂シート材、ガラス繊維を含んだ合成樹脂シート材等、遮煙性、必要に応じ耐火性（難燃性を含む）の可撓性シート材料によって、略矩形シート状に形成される。
【００２４】
座板部１２は、開閉体本体１１の閉鎖方向端部を、開閉体幅方向の略全長にわたって袋状に形成し、この袋状部位の内部に、錘部材（例えば、砂袋や、棒状部材等）を内在することで構成される。この座板部１２は、その重量によって開閉体本体１１を下方へ引っ張り、開閉体本体１１に撓みや皺等が発生するのを防いだり、停電等により収納部３０の駆動機構（図示せず）が駆動しない場合等に自重によって開閉体１０を閉鎖動作させたり等する。
この座板部１２は、開閉体１０の全開状態において、収納ケース３１内に収納される（図１参照）。
【００２５】
ガイドレール２０は、開閉体１０の幅方向の端部側を囲む横断面略コ字状の部材であり、全閉時の開閉体１０によって当接される着座対象部位（例えば、床面や地面、下枠等）と収納部３０との間にわたる長尺状に形成されている。
【００２６】
収納部３０は、略矩形箱状の収納ケース３１と、該収納ケース３１内に配設された第１及び第２の軸体３２，３３と、開閉体１０を開閉動作させるための制御機器として設けられた制御回路部３４及びセンサ３５とを備える。
【００２７】
収納ケース３１は、開閉体幅方向の両側に位置する二つの側板３１ａ，３１ｂ（図４参照）と、両側板３１ａ，３１ｂ間における開閉体開放方向側の端部間を閉鎖する第１のカバー板３１ｃ（図１及び２参照）と、両側板３１ａ，３１ｂ間における開閉体閉鎖方向側の端部間を閉鎖する第２のカバー板３１ｄ（図１及び３参照）と、両側板３１ａ，３１ｂ間における開閉体厚さ方向の一端部間を閉鎖する第３のカバー板３１ｅ（図１，図４〜６参照）と、両側板３１ａ，３１ｂ間における開閉体厚さ方向の他端部間を閉鎖する第４のカバー板３１ｆ（図１参照）と、を具備している。
収納ケース３１を構成する各部の材質は、金属材料とすればよいが、硬質合成樹脂材料やその他の硬質材料とすることも可能である。
【００２８】
第１〜４のカバー板３１ｃ，３１ｄ，３１ｅ，３１ｆは、両側板３１ａ，３１ｂに対し、ねじ止めや嵌合等の着脱可能な止着手段によって止着されている。
【００２９】
第１のカバー板３１ｃは、天板部３１ｃ１と、該天板部３１ｃ１における開閉体厚さ方向（図１によれば左右方向）の一端側と他端側を含む複数箇所（図示例によれば二箇所）に設けられた補強部材３１ｃ２，３１ｃ３とから一体的に構成される。
【００３０】
天板部３１ｃ１は、図２に示す略矩形板状の部材であり、その前端部と後端部に、それぞれ、開閉体幅方向（図２（ａ）によれば左右方向）へわたる曲げ部３１ｃ１１，３１ｃ１２を有する。
前端側（図１によれば左端側）の曲げ部３１ｃ１１は、収納ケース３１の撓みを抑制する補強部として作用する他、後述する補強部材３１ｃ２を位置決めするための位置決め部材としても作用する。また、この曲げ部３１ｃ１１には、開閉体幅方向の中央寄りに止着具４２が止着される。
前記止着具４２は、頭部と首下部を有するネジ又はボルト等であり、前記首下部を第１のカバー板３１ｃにおける前端部に螺合して止着され、後述する第３のカバー板３１ｅに掛止される被掛止部として作用する。なお、特に好ましい本実施例によれば、止着具４２は、第１のカバー板３１ｃにおける前端部に螺合され、さらに補強部材３１ｃ２にも螺合され止着されている。
また、後端側（図１によれば右端側）の曲げ部３１ｃ１２は、収納ケース３１の撓みを抑制する補強部として作用する他、躯体壁面等の不動部位に当該収納部３０を止着固定するための止着部としても作用する。
なお、前記「前」及び前記「後」の意味は、開閉体厚さ方向における一方向側と他方向側を意味し相対的なものであるが、本実施例においては、収納部３０の第４のカバー板３１ｆが取り付けられている躯体の位置する側が「後」であり、この反対側が「前」であるとして説明している。本実施例においては、収納ケース３１を製造したり該収納ケース３１を躯体に取付けたりする際には、前側から作業を行うのが効率的である。
【００３１】
また、補強部材３１ｃ２及び３１ｃ３は、それぞれ、天板部３１ｃ１の開閉体幅方向の両端部までは達していないが、該幅方向の略全長にわたって連続する断面略コ字枠状に形成され、天板部３１ｃ１に対しリベットや溶接等の固定手段によって固定され、第１のカバー板３１ｃが正面視略弓形に撓むのを抑制する。
一方の補強部材３１ｃ２は、曲げ部３１ｃ１１の内側に寄せて配置される。この補強部材３１ｃ２の開閉体閉鎖方向側の面（図示例によれば下面）は、後述する第３のカバー板３１ｅが装着される際に、第３のカバー板３１ｅの上端側の当接片部３１ｅ４によって当接される被当接面３１ｃ２１として作用する（図６参照）。
他方の曲げ部３１ｃ１１は、補強部材３１ｃ２に対し開閉体厚さ方向に間隔を置いて、収納部３０内の後寄り（図１によれば右寄り）に配置される。
【００３２】
第２のカバー板３１ｄは、底板部３１ｄ１と、該底板部３１ｄ１における開閉体厚さ方向（図１によれば左右方向）の一端側と他端側を含む複数箇所（図示例によれば二箇所）に設けられた補強部材３１ｄ２，３１ｄ３とから一体的に構成される。
【００３３】
底板部３１ｄ１は、図２に示す略矩形板状の部材であり、その前端部と後端部に、それぞれ、開閉体幅方向（図３（ａ）によれば左右方向）へわたる曲げ部３１ｄ１１，３１ｄ１２を有する。
この底板部３１ｄ１における第１の軸体３２寄り（図１によれば右寄り）には、貫通孔３１ｄ１ａが設けられる。この貫通孔３１ｄ１ａは、後述するセンサ３５の非感知媒体を通過させるための窓部として用いられる。
【００３４】
一方（図１によれば左側）の曲げ部３１ｄ１１は、断面略逆へ字状に曲げられた部位であり、その開閉体幅方向の略全長にわたって補強部材３１ｄ２が止着固定される。また、この曲げ部３１ｄ１１の開閉体幅方向の略中央部には、第３のカバー板３１ｅを止着するための止着具４１を挿通している。
他方（図１によれば右側）の曲げ部３１ｄ１２は、底板部３１ｄ１の後端側を断面略コ字状に曲げ加工してなり、上端に第２のカバー板３１ｄの底面（下面）に対し略平行し且つ補強部材３１ｄ３へ向くように曲げられた覆い部３１ｄ１２ａを有する。また、曲げ部３１ｄ１２の後方の外側（図１によれば右側）は、ガイドレール２０及び開閉体１０を上下に挿通する開口部３０ａとなっている。
前記覆い部３１ｄ１２ａは、収納ケース３１内に挿通される電気配線ｗの上方を覆っており、メンテナンス等の際に電気配線ｗが後方の開口部３０ａ側へはみ出てしまうようなことを防ぐ。
【００３５】
電気配線ｗは、図示しない操作部や、制御回路部３４、センサ３５等の各部材を電気的に接続する電線であり、例えば制御指令の信号を伝達するために配線される信号線や、電力を供給するために配線される電源線である。
【００３６】
また、補強部材３１ｄ２は、第２のカバー板３１ｄの内面側から突出して電気配線ｗを断面略コ字状に囲んで、第２のカバー板３１ｄの開閉体幅方向の略全長にわたるように形成される。
より詳細に説明すれば、この補強部材３１ｄ２は、第２のカバー板３１ｄの曲げ部３１ｄ１１に重ね合わせられる断面略逆へ字状の底部３１ｄ２１と、該底部３１ｄ２１の前端から後方へ向かって突出するとともにその突端部を下方へ曲げた断面形状の第１覆い部３１ｄ２２と、前記底部３１ｄ２１の後端から上斜め前方へ向かって突出するとともにその突端部を底部３１ｄ２１と略平行になるように曲げた断面形状の第２覆い部３１ｄ２３とからなり、これら底部３１ｄ２１、第１覆い部３１ｄ２２及び第２覆い部３１ｄ２３で囲まれる空間を、開閉体幅方向へわたって電気配線ｗを挿通する電線挿通空間ｓとしている。
そして、この補強部材３１ｄ２は、第２のカバー板３１ｄ前端側の曲げ部３１ｄ１１に嵌め合せられることで位置合わせされ、リベット止めや、溶接等の止着手段によって、第２のカバー板３１ｄに対し固定されている。
また、この補強部材３１ｄ２は、第２の軸体３３の真下よりも前方へずれた位置に配置されることで、第２の軸体３３に巻かれた開閉体１０が垂れ下がって電気配線ｗに干渉したり、開閉体１０に付着した結露水が電気配線ｗに落下したり等するようなことを防ぐ。
また、この補強部材３１ｄ２の曲げ部３１ｄ１１における開閉体幅方向の中央側には、第３のカバー板３１ｅ及び第２のカバー板３１ｄに挿通された止着具４１が螺合される。
【００３７】
また、補強部材３１ｄ３は、第２のカバー板３１ｄの後端側において、底板部３１ｄ１の内面側から突出して電気配線ｗを断面略コ字状に囲んで、第２のカバー板３１ｄの開閉体幅方向の略全長にわたるように形成される。
より詳細に説明すれば、この補強部材３１ｄ３は、底板部３１ｄ１の内面に重ね合わせられてリベット止めや溶接等の止着手段によって止着される止着片部３１ｄ３１と、該止着片部３１ｄ３１から突出するとともにその突端部を後方へ曲げた断面形状の覆い部３１ｄ３２とから一体に構成され、覆い部３１ｄ３２を第２のカバー板３１ｄの覆い部３１ｄ１２ａに対し前方へ間隔を置いて対向させている。
そして、この補強部材３１ｄ３は、第２のカバー板３１ｄの覆い部３１ｄ１２ａと協働して、開閉体幅方向へわたって挿通された電気配線ｗを開閉体厚さ方向の両側から囲み、電線挿通空間ｓを確保している。
【００３８】
また、第３のカバー板３１ｅは、上下方向へわたる平板状の前面部３１ｅ１と、該前面部３１ｅ１の下端側でから下斜め後方へ曲げられた下側片部３１ｅ２と、前面部３１ｅ１の上端部を二つ折りするようにして曲げられた二つ折り片部３１ｅ３と、二つ折り片部３１ｅ３の下端から後方へ突出した当接片部３１ｅ４とを有している。
【００３９】
下側片部３１ｅ２は、第２のカバー板３１ｄ前端の曲げ部３１ｄ１１に重ね合わせられ、幅方向の中央側に挿通される止着具４１（ネジやボルト等）によって、曲げ部３１ｄ１１及び補強部材３１ｄ２に止着される。
【００４０】
二つ折り片部３１ｅ３は、幅方向の中央寄りに、第１のカバー板３１ｃ前端の止着具４２に掛止するための掛止部３１ｅ５が設けられる（図５参照）。この掛止部３１ｅ５は、止着具４２の頭部を挿通可能な脱着孔３１ｅ５１と、該脱着孔３１ｅ５１よりも小径であって止着具４２の首下部を挿通可能な締付孔３１ｅ５２とを開閉体開閉方向に連結するとともに、脱着孔３１ｅ５１を締付孔３１ｅ５２よりも開閉体開放方向側に配置してなる。前記締付孔３１ｅ５２は、第１のカバー板３１ｃと第２のカバー板３１ｄとの間隔が所定寸法に維持された状態で、これら第１及び第２のカバー板３１ｃ，３１ｄの前端に第３のカバー板３１ｅが止着固定された際に、止着具４２の中心と略一致するように配置されている。
【００４１】
当接片部３１ｅ４は、第３のカバー板３１ｅの前端側の内面から後方へ突出するように設けられる。この当接片部３１ｅ４は、第１のカバー板３１ｃ前端部（詳細には、曲げ部３１ｃ１１の下端、及び／又は該曲げ部３１ｃ１１と一体の被当接面３１ｃ２１）を、下方から受けることで、第１のカバー板３１ｃの幅方向中央側の弛みを矯正し、第１のカバー板３１ｃと第２のカバー板３１ｄとの間隔を前記所定寸法に維持する。
【００４２】
また、第４のカバー板３１ｆは、収納ケース３１の後端部を構成する部材であり、上下端部に、補強のための断面コ枠状の曲げ部３１ｆ１，３１ｆ２を有し、これら曲げ部３１ｆ１，３１ｆ２の後面を、躯体壁面等の不動部位に止着している。
【００４３】
また、第１の軸体３２は、開閉体１０の開放方向側で自在に回転するように、収納ケース３１の両側部にベアリング等を介して支持されている。この第１の軸体３２は、その上半部側に開閉体１０を掛けて、該開閉体１０を、開閉体開閉方向に対し交差し且つ下り傾斜する方向（図示例によれば左斜め下方向）へ導く。
この第１の軸体３２は、第２の軸体３３よりも大径に形成されている。この構成によれば、第１の軸体３２が第２の軸体３３よりも低速に回転しながら開閉体１０と係脱するため、その係脱の際の振動や騒音等を軽減することができる。
【００４４】
また、第１の軸体３２は、収納ケース３１の開閉体開閉方向の寸法の中央よりも開閉体開放方向側に配置されることで、収納ケース３１内における第１の軸体３２よりも下方側に、制御回路部３４及びセンサ３５等の制御機器の配設スペースを確保し、更に、開閉体１０の座板部１２を収納ケース３１内に収納することを可能にしている。
なお、図示を省略するが、この第１の軸体３２の内部又は外部には、該第１の軸体３２を双方向へ駆動回転させるための駆動機構（例えば、電動モータや該電動モータの回転を第１の軸体３２に伝達する回転伝達機構等）が具備されている。
【００４５】
また、第２の軸体３３は、開放動作時に前記交差方向へ導かれた開閉体１０を巻き取るように、第１の軸体３２から前記交差方向へ離れて配置され、その両端部が収納ケース３１の両側部にベアリング等を介して回転可能に支持されている。
【００４６】
この第２の軸体３３の中心の収納ケース３１内における高さ寸法ｈ２は、第１の軸体３２の中心の高さ寸法ｈ１よりも低く設定され、且つ、第２の軸体３３の外周部の上端は、第１の軸体３２の外周部の上端よりも低く設定される。図示例について、より詳細に説明すれば、開閉体１０が略全開状態となるまで、第２の軸体３３に開閉体１０が巻き取られた状態において、この巻かれた開閉体１０を含む第２の軸体３３の外周部の上端が、第１の軸体３２の上半部側に掛けられた開閉体１０の上端よりも低くなるようにしている。
この配置によれば、開放動作した際の開閉体１０が、その開放方向に交差する下り傾斜方向へ導かれるため、開閉体１０を自重及び慣性等の作用によってスムーズに第２の軸体３３に巻き取らせることができ、また、開閉体１０を閉鎖動作させる際には、第２の軸体３３の繰出し抵抗によって、その閉鎖速度を抑制することができる。
【００４７】
また、第２の軸体３３は、収納ケース３１の開閉体開閉方向の寸法の中央よりも開閉体開放方向側に配置される。換言すれば、収納ケース３１内における第２の軸体３３の高さ寸法ｈ２は、収納ケース３１内の上下方向の寸法の半分よりも長く設定される。この配置によれば、第２の軸体３３に巻かれた開閉体１０が巻太りするとともに弛んだとしても、その他弛んだ部分が下方の第２のカバー板３１ｄや電気配線ｗ等に干渉するのを防ぐことができる。なお、第２の軸体３３に巻かれた開閉体１０がほとんど弛まなかった場合には、該開閉体１０が第２のカバー板３１ｄ等に干渉しないのは勿論である。
【００４８】
また、制御回路部３４は、収納ケース３１内における第１の軸体３２下方側の空間に配置された制御機器である。この制御回路部３４は、マイコンやリレー回路等を具備してなり、図示しない操作部（例えば、操作ＢＯＸや、リモコン、操作信号を発するコンピュータ、携帯端末、起動用センサ類等）や、後述するセンサ３５などから入力される電気信号に応じて、上記駆動機構を制御し、開閉体１０を開閉動作させる。
【００４９】
また、センサ３５は、収納ケース３１内における第１の軸体３２下方側の空間に配置された制御機器である。このセンサ３５は、収納ケース３１底部の貫通孔３１ｄ１ａによって収納ケース３１外に露出された非接触感知式センサ（例えば焦電センサ等）であり、貫通孔３１ｄ１ａを介して開閉体１０近傍又は開閉体１０下方側の物体を感知する。
【００５０】
これら制御回路部３４やセンサ３５は、補強部材３１ｄ３の近傍かつ前側（つまり、補強部材３１ｄ３によって囲まれた電気配線ｗの近傍かつ前側）に位置している。そして、制御回路部３４やセンサ３５は、第１の軸体３２及び開閉体１０と干渉しないように配置される。
【００５１】
次に、上記構成の開閉装置１の製造方法上の特徴について説明する。
収納ケース３１を製造する際、左右の側板３１ａ，３１ｂ間に、先ず、第１のカバー板３１ｃ，第２のカバー板３１ｄ，第４のカバー板３１ｆを組み付け，これらに対し、前方側から第３のカバー板３１ｅを止着する。
この際、第１のカバー板３１ｃ前端部に止着具４２を緩めに仮止めし、該止着具４２に対し第３のカバー板３１ｅにおける掛止部３１ｅ５の脱着孔３１ｅ５１（図５参照）を環状に挿入し、該脱着孔３１ｅ５１を止着具４２の首下部に掛ける。この状態では、図６（ａ）に示すように、第３のカバー板３１ｅの開閉体幅方向の中央寄りが、該第３のカバー板３１ｅの自重及び第３のカバー板３１ｅの重量によって下方へ撓み、第３のカバー板３１ｅの当接片部３１ｅ４と、第１のカバー板３１ｃ前端の補強部材３１ｃ２（詳細には被当接面３１ｃ２１）との間には、隙間ｙが形成される。
【００５２】
次に、第３のカバー板３１ｅを持ち上げるようにして上方へ移動すれば、第３のカバー板３１ｅの当接片部３１ｅ４が第１のカバー板３１ｃの前端部（詳細には、曲げ部３１ｃ１１の下端、及び／又は該曲げ部３１ｃ１１と一体の被当接面３１ｃ２１）に当接して前記隙間ｙがなくなるかほとんどなくなるとともに（図６参照）、掛止部３１ｅ５が止着具４２に対し上方へスライドして該掛止部３１ｅ５の締付孔３１ｅ５２が止着具４２の首下部に嵌り合う（図５参照）。
【００５３】
そして、さらに第３のカバー板３１ｅを持ち上げるようにして上方へ移動すれば、当接片部３１ｅ４と第１のカバー板３１ｃの前端部（詳細には、曲げ部３１ｃ１１の下端、及び／又は該曲げ部３１ｃ１１と一体の被当接面３１ｃ２１）との当接、又は、掛止部３１ｅ５の締付孔３１ｅ５２内縁と止着具４２の首下部との当接により、第１のカバー板３１ｃの開閉体幅方向の中央寄りが上方へ押圧され、第１のカバー板３１ｃの撓みが矯正される（図６（ｂ）参照）。
この矯正状態のまま、上下の止着具４１，４２を締め付け、第３のカバー板３１ｅを図示しない止着具（例えばボルトやネジ等）によって左右の側板３１ａ，３１ｂに止着すれば、第１のカバー板３１ｃの弛みを解消した状態で、第３のカバー板３１ｅが、両側板３１ａ，３１ｂ、第１のカバー板３１ｃ及び第２のカバー板３１ｄに固定され、収納ケース３１が完成する。
【００５４】
なお、第１の軸体３２、第２の軸体３３、第２の軸体３３に巻かれた開閉体１０、制御回路部３４やセンサ３５等の構成部材を、収納ケース３１内に収納する作業は、第１のカバー板３１ｃ、第２のカバー板３１ｄ及び第４のカバー板３１ｆに対し第３のカバー板３１ｅを止着する前に行われる。この作業では、第１のカバー板３１ｃ、第２のカバー板３１ｄ及び第４のカバー板３１ｆを組み付ける工程の途中や該工程の後に、前記構成部材を、第１のカバー板３１ｃ、第２のカバー板３１ｄ及び第４のカバー板３１ｆ等の必要箇所に取付けて（施行現場で取付ける場合や、工場で予め取付ける場合等を含む）、その後に、第１のカバー板３１ｃ、第２のカバー板３１ｄ及び第４のカバー板３１ｆに対し、その前方側から第３のカバー板３１ｅが止着される。
【００５５】
よって、上記構成の開閉装置１によれば、収納ケース３１の強度を該収納ケース３１と一体の補強部材３１ｃ２，３１ｃ３，３１ｄ２，３１ｄ３によって十分に保持することができる上、前記補強部材がメンテナンスの邪魔になるようなことを防ぐことができる。
また、第２のカバー板３１ｄの補強部材３１ｄ２，３１ｄ３によって電気配線ｗを保護するようにしているため、メンテナンス時に作業者の手が電気配線ｗに接触したり、駆動部分が電気配線ｗに接触したり等して、電気配線ｗが損傷したり外れたり等するのを防ぐことができる。
また、製造時には、天板部３１ｃ１が弛んだ場合でも、その弛みを第３のカバー板３１ｅの装着によって矯正して、弛みのない状態で収納ケース３１を完成することができる。
また、第１の軸体３２を収納ケース３１内の上部側に配置したため、収納ケース３１内の下部側に座板部１２を収納できる上、同下部側に制御回路部３４やセンサ３５を配設することができ、特に、センサ３５を目立つことなく体裁良く収納ケース３１内に設けることができる。
また、第２の軸体３３を収納ケース３１内の上部側に配置したため、第２の軸体３３に巻かれた開閉体１０が垂れ下がって第２のカバー板３１ｄに干渉するのを防ぐことができる。
また、第１の軸体３２と第２の軸体３３の外径の関係、及びこれらの位置関係等により、上述したように、第１の軸体３２周りの振動騒音を低減したり、巻取動作をスムーズにしたり、開閉体１０の閉鎖動作に適宜な抵抗を加えたり等することができる。
【００５６】
なお、上記実施例によれば、開閉体１０を可撓性シート材から形成したが、開閉体１０の他例としては、複数のスラットや、パイプを開閉方向へ連設してなる態様や、ネット状物からなる態様、あるいはスラット、パネル、パイプ、シート状物、ネット状物等を適宜に組み合わせてなる態様等とすることも可能である。
【００５７】
また、上記実施例によれば、上記補強部材を、開閉体厚さ方向に二列設けたが、他例としては、一列のみ設けたり、３列以上設けたりすることも可能である。更に、上記実施例によれば、上記補強部材を第１のカバー板３１ｃ及び第２のカバー板３１ｄにそれぞれ設けたが、これらのうち何れか一方のカバー板の補強部材を省いたり、他のカバー部材（第３のカバー板３１ｅ及び／又は第４のカバー板３１ｆ）に対し、同様にして上記補強部材を設けたり等することも可能である。
【００５８】
また、上記実施例によれば、二軸式のシャッター装置を構成したが、他例としては、単一の軸体によって開閉体１０を巻き取ったり繰り出したりする一軸式のシャッター装置を構成することも可能である。
【００５９】
また、上記実施例によれば補強部材３１ｃ２及び３１ｃ３の形状を断面略コ字枠状としたが、前記補強部材の形状は、図示例のものに限らず、例えば断面三角形状等、補強可能であれば他の形状を適用することも可能である。また、前記補強部材は、他の部材（例えば第３のカバー板３１ｅ等）によって当接されるように、前記他の部材によって当接される被当接面を有する形状にしてもよい。
【００６０】
また、上記実施例によれば、補強部材３１ｃ２，３１ｃ３，３１ｄ２及び３１ｄ３は、固定手段（例えば、ねじ止め、リベット止め、溶接等）を用いて、第１のカバー板３１ｃ又は第２のカバー板３１ｄに固定したが、他例としては、前記固定手段を用いずに、第１のカバー板３１ｃ又は第２のカバー板３１ｄ自体を曲げ加工したり部分的に厚肉に形成したり等して、該カバー板と一体の補強部材を構成するようにすることも可能である。
【００６１】
また、本実施例においては、前記補強部材は主に収納部３０の内部に位置するようにしたが、他例としては、収納部３０内に位置する開閉体１０や制御回路部３４等との干渉をさける等の目的で、収納部３０の外部に配置することも可能である。
【符号の説明】
【００６２】
１：開閉装置                        １０：開閉体
３１：収納ケース                    ３２：第１の軸体
３３：第２の軸体                    ３１ａ，３１ｂ：側板
３１ｃ：第１のカバー板              ３１ｄ：第２のカバー板
３１ｅ：第３のカバー板              ３１ｆ：第４のカバー板
３１ｃ２，３１ｃ３，３１ｄ２，３１ｄ３：補強部材
３１ｅ５：掛止部                    ３１ｅ５１：脱着孔
３１ｅ５２：締付孔                  ３４：制御回路部（制御機器）
３５：センサ（制御機器）            ４１，４２：止着具
ｓ：電線挿通空間                    ｗ：電気配線
【図１】
0005955536.tif 000002
【図２】
0005955536.tif 000003
【図３】
0005955536.tif 000004
【図４】
0005955536.tif 000005
【図５】
0005955536.tif 000006
【図６】
0005955536.tif 000007